(57)【要約】【課題】煩雑な操作を必要とせずに適切にキャリブレーションを行うことができる画像複写装置を提供する。【解決手段】デジタル複合機１は、キャリブレーションを行う際に、テストチャート原稿のテストチャート記録面を読み取って目標データを取得するとともに、テストチャート原稿の複写物のテストチャート複写面を読み取ってサンプリングデータを取得し、テストチャート複写面を読み取った読み取り部と前記特定手段が特定した読み取り部とが一致する場合に取得したサンプリングデータを保存する。さらに、デジタル複合機１は、目標データとサンプリングデータとから生成した補正特性により、通常原稿を複写する際に生成された画像データを補正する。【選択図】図１
2008271344.tif 000002
【特許請求の範囲】
【請求項１】
原稿の第１面を読み取り画像データを生成する第１の読み取り部と原稿の第２面を読み取り画像データを生成する第２の読み取り部とを有する画像読み取り手段と、
前記画像読み取り手段により生成された画像データに係る画像を記録媒体上に形成する画像形成手段と、
を備える画像複写装置であって、
前記画像読み取り手段がテストチャート原稿のテストチャート記録面を読み取り生成した記録面画像データから目標データを取得する目標データ取得手段と、
目標データを保存する目標データ保存手段と、
テストチャート記録面を読み取った読み取り部を特定可能な特定用画像を表示するデータを記録面画像データに付加する付加手段と、
前記画像読み取り手段がテストチャート原稿の複写物のテストチャート複写面を読み取り生成した複写面画像データからサンプリングデータを取得するサンプリングデータ取得手段と、
複写面画像データの特定用画像に関する部分からテストチャート記録面を読み取った読み取り部を特定する特定手段と、
テストチャート複写面を読み取った読み取り部と前記特定手段が特定した読み取り部とが一致する場合に、前記サンプリングデータ取得手段が取得したサンプリングデータを保存するサンプリングデータ保存手段と、
前記目標データ保存手段により保存された目標データと前記サンプリングデータ保存手段により保存されたサンプリングデータとから生成した補正特性により、通常原稿を複写する際に生成された画像データを補正する補正手段と、
を備える画像複写装置。
【請求項２】
前記付加手段は、テストチャート記録面を読み取った日時を特定可能な特定用画像を表示するデータを記録面画像データに付加し、
前記特定手段は、テストチャート記録面を読み取った日時を複写面画像データの特定用画像に関する部分から特定し、
前記サンプリングデータ保存手段は、前記特定手段が特定した日時からの経過日時が基準内である場合に、前記サンプリングデータ取得手段が取得したサンプリングデータを保存する請求項１に記載の画像複写装置。
【請求項３】
前記付加手段は、テストチャート記録面を読み取った画像複写装置の個体を特定可能な特定用画像を表示するデータを記録面画像データに付加し、
前記特定手段は、テストチャート記録面を読み取った画像複写装置の個体を複写面画像データの特定用画像に関する部分から特定し、
前記サンプリングデータ保存手段は、テストチャート複写面を読み取った画像複写装置の個体と前記特定手段が特定した画像複写装置の個体とが一致する場合に、前記サンプリングデータ取得手段が取得したサンプリングデータを保存する請求項１又は請求項２に記載の画像複写装置。
【請求項４】
原稿の第１面を読み取り画像データを生成する第１の読み取り部と原稿の第２面を読み取り画像データを生成する第２の読み取り部とを有する画像読み取り手段と、
前記画像読み取り手段により生成された画像データに係る画像を記録媒体上に形成する画像形成手段と、
を備える画像複写装置における画像データの補正方法であって、
前記画像読み取り手段がテストチャート原稿のテストチャート記録面を読み取り生成した記録面画像データから目標データを取得する目標データ取得工程と、
目標データを保存する目標データ保存工程と、
テストチャート記録面を読み取った読み取り部を特定可能な特定用画像を表示するデータを記録面画像データに付加する付加工程と、
前記画像読み取り手段がテストチャート原稿の複写物のテストチャート複写面を読み取り生成した複写面画像データからサンプリングデータを取得するサンプリングデータ取得工程と、
複写面画像データの特定用画像に関する部分からテストチャート記録面を読み取った読み取り部を特定する特定工程と、
テストチャート複写面を読み取った読み取り部と前記特定手段が特定した読み取り部とが一致する場合に、前記サンプリングデータ取得手段が取得したサンプリングデータを保存するサンプリングデータ保存工程と、
前記目標データ保存工程により保存された目標データと前記サンプリングデータ保存手段により保存されたサンプリングデータとから生成した補正特性により、通常原稿を複写する際に生成された画像データを補正する補正工程と、
を備える画像データの補正方法。
【発明の詳細な説明】
【技術分野】
【０００１】
本発明は、画像複写装置及び画像複写装置における画像データの補正方法に関する。
【背景技術】
【０００２】
原稿の表面を読み取る表面読み取り部と原稿の裏面を読み取る裏面読み取り部とを有し原稿の両面を一時に読み取るとともに、表面読み取り部又は裏面読み取り部が生成した画像データに係る画像を記録媒体上に形成することにより原稿を複写する画像複写装置では、複写の際に適切に色を再現するために、原稿を読み取った読み取り部に応じて画像データを補正しなければならない。
【０００３】
このような画像データの補正を適切に行うために、テストチャート及びその複写物を画像複写装置に読み取らせて画像複写装置をキャリブレーションすることが一般的に行われている。
【０００４】
なお、特許文献１は、本願発明と関連がある文献公知発明が記載された先行技術文献であり、画像複写装置において、表面読み取り部が生成した画像データ及び裏面読み取り部が生成した画像データを補正することについて開示している。
【０００５】
【特許文献１】特開２０００−９２３２４号公報
【発明の開示】
【発明が解決しようとする課題】
【０００６】
しかし、従来の画像複写装置では、キャリブレーションを行う際に、テストチャートやその複写物を読み取る読み取り部を指定しなければならない等の煩雑な操作が必要であった。
【０００７】
本発明は、この問題を解決するためになされたもので、煩雑な操作を必要とせずに適切にキャリブレーションを行うことができる画像複写装置を提供することを目的とする。
【課題を解決するための手段】
【０００８】
上記課題を解決するため、請求項１の発明は、原稿の第１面を読み取り画像データを生成する第１の読み取り部と原稿の第２面を読み取り画像データを生成する第２の読み取り部とを有する画像読み取り手段と、前記画像読み取り手段により生成された画像データに係る画像を記録媒体上に形成する画像形成手段とを備える画像複写装置であって、前記画像読み取り手段がテストチャート原稿のテストチャート記録面を読み取り生成した記録面画像データから目標データを取得する目標データ取得手段と、目標データを保存する目標データ保存手段と、テストチャート記録面を読み取った読み取り部を特定可能な特定用画像を表示するデータを記録面画像データに付加する付加手段と、前記画像読み取り手段がテストチャート原稿の複写物のテストチャート複写面を読み取り生成した複写面画像データからサンプリングデータを取得するサンプリングデータ取得手段と、複写面画像データの特定用画像に関する部分からテストチャート記録面を読み取った読み取り部を特定する特定手段と、テストチャート複写面を読み取った読み取り部と前記特定手段が特定した読み取り部とが一致する場合に、前記サンプリングデータ取得手段が取得したサンプリングデータを保存するサンプリングデータ保存手段と、前記目標データ保存手段により保存された目標データと前記サンプリングデータ保存手段により保存されたサンプリングデータとから生成した補正特性により、通常原稿を複写する際に生成された画像データを補正する補正手段とを備える。
【０００９】
請求項２の発明は、請求項１に記載の画像複写装置において、前記付加手段は、テストチャート記録面を読み取った日時を特定可能な特定用画像を表示するデータを記録面画像データに付加し、前記特定手段は、テストチャート記録面を読み取った日時を複写面画像データの特定用画像に関する部分から特定し、前記サンプリングデータ保存手段は、前記特定手段が特定した日時からの経過日時が基準内である場合に、前記サンプリングデータ取得手段が取得したサンプリングデータを保存する。
【００１０】
請求項３の発明は、請求項１又は請求項２に記載の画像複写装置において、前記付加手段は、テストチャート記録面を読み取った画像複写装置の個体を特定可能な特定用画像を表示するデータを記録面画像データに付加し、前記特定手段は、テストチャート記録面を読み取った画像複写装置の個体を複写面画像データの特定用画像に関する部分から特定し、前記サンプリングデータ保存手段は、テストチャート複写面を読み取った画像複写装置の個体と前記特定手段が特定した画像複写装置の個体とが一致する場合に、前記サンプリングデータ取得手段が取得したサンプリングデータを保存する。
【００１１】
請求項４の発明は、原稿の第１面を読み取り画像データを生成する第１の読み取り部と原稿の第２面を読み取り画像データを生成する第２の読み取り部とを有する画像読み取り手段と、前記画像読み取り手段により生成された画像データに係る画像を記録媒体上に形成する画像形成手段とを備える画像複写装置における画像データの補正方法であって、前記画像読み取り手段がテストチャート原稿のテストチャート記録面を読み取り生成した記録面画像データから目標データを取得する目標データ取得工程と、目標データを保存する目標データ保存工程と、テストチャート記録面を読み取った読み取り部を特定可能な特定用画像を表示するデータを記録面画像データに付加する付加工程と、前記画像読み取り手段がテストチャート原稿の複写物のテストチャート複写面を読み取り生成した複写面画像データからサンプリングデータを取得するサンプリングデータ取得工程と、複写面画像データの特定用画像に関する部分からテストチャート記録面を読み取った読み取り部を特定する特定工程と、テストチャート複写面を読み取った読み取り部と前記特定手段が特定した読み取り部とが一致する場合に、前記サンプリングデータ取得手段が取得したサンプリングデータを保存するサンプリングデータ保存工程と、前記目標データ保存工程により保存された目標データと前記サンプリングデータ保存手段により保存されたサンプリングデータとから生成した補正特性により、通常原稿を複写する際に生成された画像データを補正する補正工程とを備える。
【発明の効果】
【００１２】
本発明によれば、煩雑な操作を必要とせずに適切にキャリブレーションを行うことができる。
【００１３】
請求項２の発明によれば、基準外の日時が経過したテストチャート原稿の複写物を用いてキャリブレーションを行ってしまうことを防止することができる。
【００１４】
請求項３の発明によれば、異なる画像複写装置の個体で得られたテストチャート原稿の複写物を用いてキャリブレーションを行ってしまうことを防止することができる。
【発明を実施するための最良の形態】
【００１５】
＜１  デジタル複合機の構成＞
図１は、本発明の望ましい実施形態に係るデジタル複合機１の構成を示すブロック図である。デジタル複合機１は、ＭＦＰ（Multi Function Peripherals）とも呼ばれ、ファクシミリ機能、コピー機能、スキャン機能、プリント機能を有している。
【００１６】
図１に示すように、デジタル複合機１は、組み込みコンピュータ１０の構成要素として、ＭＰＵ（Micro Processing Unit）１０２、ＲＡＭ（主記憶装置）１０４及びフラッシュメモリ（補助記憶装置）１０６を備える。ＭＰＵ１０２は、フラッシュメモリ１０６に記憶されたプログラム１０６２にしたがってデジタル複合機１の各構成を統括制御する。ＲＡＭ１０４には、プログラム１０６２がロードされるほか、プログラム１０６２の実行に必要なデータが記憶される。
【００１７】
また、デジタル複合機１は、スキャナ１０８、プリンタ１１０、画像処理ＬＳＩ（Large Scale Integration）１１２、コーデックＬＳＩ１１４、ＮＣＵ（Network Control Unit）１１６、モデム１１８、画像メモリ１２０、ネットワークインターフェース１２２、操作パネル１２４及びＡＤＦ（Automatic Document Feeder）１２６を備える。
【００１８】
スキャナ１０８は、供給された原稿を読み取り画像データを生成する。スキャナ１０８には、原稿の表面を読み取る表面読み取り部１０８１と原稿の裏面を読み取る裏面読み取り部１０８２とが独立して設けられており、原稿の両面を一時に読み取ることができる。もちろん、デジタル複合機１では、表面読み取り部１０８１だけを用いて原稿の表面だけを読み取ることもできるし、裏面読み取り部１０８２だけを用いて原稿の裏面だけを読み取ることもできる。
【００１９】
プリンタ１１０は、電子写真方式により、画像データに係る画像を記録紙等の記録媒体上に形成する。
【００２０】
画像処理ＬＳＩ１１２は、画像データを処理する。なお、画像処理ＬＳＩ１１２の機能の一部又は全部を、組み込みコンピュータ１０がプログラム１０６２を実行することにより実現してもよい。
【００２１】
コーデックＬＳＩ１１４は、ＭＨ方式、ＭＲ方式若しくはＭＭＲ方式又はＪＰＥＧ方式により画像データを符号化又は復号する。なお、コーデックＬＳＩ１１４の機能の一部又は全部を、組み込みコンピュータ１０がプログラム１０６２を実行することにより実現してもよい。
【００２２】
ＮＣＵ１１６は、公衆電話交換網１９２への接続を制御する。ＮＣＵ１１６は、相手先の電話番号に対応したダイヤル信号を送出し、着信を検出する。モデム１１８は、画像データを変調又は復調する。
【００２３】
画像メモリ１２０は、デジタル複合機１が処理対象とする画像データを記憶する。画像メモリ１２０は、ＳＤＲＡＭ（Synchronous Dynamic Random Access Memory）などによって構成される。
【００２４】
ネットワークインターフェース１２２は、デジタル複合機１をネットワーク１９４へ接続する。
【００２５】
操作パネル１２４は、操作者の操作を検出するとともに、各種情報を表示する。
【００２６】
ＡＤＦ１２６は、原稿台に置かれた原稿群から原稿を１枚づつ取得してスキャナ１０８へ供給する。「原稿群」は、複数枚の原稿の場合だけでなく、１枚の原稿の場合もありうる。
【００２７】
ファクシミリモードにおいて送信を行う場合、デジタル複合機１では、スキャナ１０８が原稿を読み取って画像データを生成し、コーデックＬＳＩ１１４がスキャナ１０８により生成された画像データを符号化し、モデム１１８がコーデックＬＳＩ１１４により符号化された画像データを変調して相手先のファクシミリ機へ送信する。一方、ファクシミリモードにおいて受信を行う場合、デジタル複合機１では、モデム１１８が相手先のファクシミリ機から画像データを受信して復調し、コーデックＬＳＩ１１４がモデム１１８により復調された画像データを復号し、プリンタ１１０がコーデックにより復号された画像データに係る画像を記録媒体上に形成する。
【００２８】
コピーモードにおいては、デジタル複合機１では、スキャナ１０８（表面読み取り部１０８１又は裏面読み取り部１０８２）が原稿を読み取って画像データを生成し、プリンタ１１０がスキャナ１０８により生成された画像データに係る画像を記録媒体上に形成する。
【００２９】
スキャンモードでは、デジタル複合機１は、スキャナ１０８が原稿を読み取って画像データを生成し、コーデックＬＳＩ１１４がスキャナ１０８により生成された画像データを符号化し、ネットワークインターフェース１２２がコーデックＬＳＩ１１４により符号化された画像データを相手先のパーソナルコンピュータへ送信する。
【００３０】
プリントモードでは、ネットワークインターフェース１２２が相手先のパーソナルコンピュータから画像データを受信し、コーデックＬＳＩ１１４がネットワークインターフェース１２２により受信された画像データを復号し、プリンタ１１０がコーデックＬＳＩ１１４により復号された画像データに係る画像を記録媒体上に形成する。
【００３１】
＜２  テストチャート原稿＞
図２は、キャリブレーションを行う際に用いるテストチャート原稿の一例を示す模式図である。図２に例示するテストチャート原稿３２は、階調が段階的に変化する複数のパッチ３２１を副走査方向に一列に配列したテストチャートを片面に記録した原稿である。もちろん、図２に例示したテストチャート原稿３２とは別種のテストチャート原稿を用いることもできる。
【００３２】
デジタル複合機１は、テストチャート原稿のテストチャート記録面を読み取って目標データを取得するとともに、テストチャート原稿の複写物のテストチャート複写面を読み取ってサンプリングデータを取得し、サンプリングデータを目標データに近づける、望ましくは一致させる補正特性を生成し、当該補正特性により画像データを補正することにより、通常原稿を複写する際に複写物において原稿の色を正確に再現することができるようにしている。なお、図２に例示するテストチャート原稿３２を用いる場合、表面読み取り部１０８１又は裏面読み取り部１０８２がテストチャート記録面を読み取って生成した画像データから取得したパッチ３２１の部分の濃度データを目標データとすることができ、表面読み取り部１０８１又は裏面読み取り部１０８２がテストチャート複写面を読み取って生成した画像データから取得したパッチ３２１の部分の濃度データをサンプリングデータとすることができる。
【００３３】
＜３  目標データ取得モード＞
図３及び図４は、組み込みコンピュータ１０の制御下で行われる、目標データを取得する際のデジタル複合機１における処理の流れを示すフローチャートである。
【００３４】
デジタル複合機１では、目標データの取得に当たって、まず、スキャナ１０８がテストチャート原稿の表面及び裏面を読み取る（ステップＳ１０１）。
【００３５】
続いて、デジタル複合機１は、表面読み取り部１０８１が生成した表面の画像データ（以下、「表面読み取りデータ」という）が、テストチャート記録面の画像データ（以下、「記録面画像データ」という）であるか否かを調べる（ステップＳ１０２）。
【００３６】
そして、デジタル複合機１は、表面読み取りデータが記録面画像データでない場合（ステップＳ１０２で"NO"）、表面読み取りデータから目標データを取得することはできないので、ステップＳ１０３〜Ｓ１０６の処理を行わずにステップＳ１０７の処理を行う。
【００３７】
一方、デジタル複合機１は、表面読み取りデータが記録面画像データである場合（ステップＳ１０２で"YES"）、表面読み取りデータから目標データを取得してフラッシュメモリ１０６に保存し（ステップＳ１０３）、表面に関する目標データ取得済フラグをセットする（ステップＳ１０４）。
【００３８】
さらに、デジタル複合機１は、テストチャート記録面を読み取った読み取り部が表面読み取り部１０８１であることを特定可能な特定用画像を表示するデータ、テストチャート記録面を読み取った日時を特定可能な特定用画像を表示するデータ、テストチャート記録面を読み取ったデジタル複合機１の個体を特定可能な特定用画像を表示するデータを表面読み取りデータに付加する（ステップＳ１０５）。
【００３９】
次に、デジタル複合機１では、プリンタ１１０が表面読み取りデータに係る画像を記録媒体上に形成することにより、テストチャート記録面のコピー（複写物）を得る（ステップＳ１０６）。このコピーには、テストチャートに加えて、上述の特定用画像も形成される。例えば、図５に一例を示すコピー３３のテストチャート複写面には、テストチャート記録面を読み取った読み取り部が表面読み取り部１０８１であることを示す「page:1」という文字列からなる特定用画像３２５、テストチャート記録面を読み取った日時を示す「date:20070323」「time:1234」という文字列からなる特定用画像３２６、テストチャート記録面を読み取ったデジタル複合機１のシリアルナンバーを示す「sn:0123456」という文字列からなる特定用画像３２７が形成されている。なお、文字列からなる特定用画像３２５，３２６，３２７に代えて、１次元コード画像や２次元コード画像等を用いることもできる。もちろん、３個の特定用画像を一体化してもよい。また、同様の画像の形成位置を異ならせることにより特定用画像として使用できるようにしてもよい。
【００４０】
続いて、デジタル複合機１は、裏面について表面と同様の処理を開始する。すなわち、デジタル複合機１は、裏面読み取り部１０８２が生成した裏面の画像データ（以下、「裏面読み取りデータ」という）が、記録面画像データであるか否かを調べる（ステップＳ１０７）。
【００４１】
そして、デジタル複合機１は、裏面読み取りデータが記録面画像データでない場合（ステップＳ１０７で"NO"）、裏面読み取りデータから目標データを取得することはできないので、ステップＳ１０８〜Ｓ１１１の処理を行わずに処理を終了する。
【００４２】
一方、デジタル複合機１は、裏面読み取りデータが記録面画像データである場合（ステップＳ１０７で"YES"）、裏面読み取りデータから目標データを取得してフラッシュメモリ１０６に保存し（ステップＳ１０８）、裏面に関する目標データ取得済フラグをセットする（ステップＳ１０９）。
【００４３】
さらに、デジタル複合機１は、テストチャート記録面を読み取った読み取り部が裏面読み取り部１０８２であることを特定可能な特定用画像を表示するデータ、テストチャート記録面を読み取った日時を特定可能な特定用画像を表示するデータ、テストチャート記録面を読み取ったデジタル複合機１の個体を特定可能な特定用画像を表示するデータを裏面読み取りデータに付加する（ステップＳ１１０）。
【００４４】
次に、デジタル複合機１では、プリンタ１１０が裏面読み取りデータに係る画像を記録媒体上に形成することにより、テストチャート記録面のコピーを得る（ステップＳ１１１）。このコピーには、テストチャートに加えて、上述の特定用画像も形成される。
【００４５】
このような処理の流れによれば、テストチャート記録面を読み取る読み取り部を指定する等の煩雑な操作を行うことなく、デジタル複合機１に目標データを取得させることができる。特に、テストチャート記録面を表面にしたテストチャート原稿とテストチャート記録面を裏面にしたテストチャート原稿とを原稿台に置いて、ＡＤＦ１２６によりスキャナ１０８に連続的に読み取らせれば、極めて容易に表面及び裏面の両面について目標データを取得させることができる。
【００４６】
＜４  サンプリングデータ取得モード＞
図６及び図７は、組み込みコンピュータ１０の制御下で行われる、サンプリングデータを取得する際のデジタル複合機１における処理の流れを示すフローチャートである。
【００４７】
デジタル複合機１では、サンプリングデータの取得に当たって、まず、スキャナ１０８が、ステップＳ１０６，Ｓ１１１で得られたコピーの表面及び裏面を読み取る（ステップＳ２０１）。
【００４８】
続いて、デジタル複合機１は、表面読み取りデータが、テストチャート複写面の画像データ（以下、「複写面画像データ」という）であるか否かを調べる（ステップＳ２０２）。
【００４９】
そして、デジタル複合機１は、表面読み取りデータが複写面画像データでない場合（ステップＳ２０２で"NO"）、表面読み取りデータからサンプリングデータを取得することはできないので、ステップＳ２０３〜Ｓ２０６の処理を行わずにステップＳ２０７の処理を行う。
【００５０】
一方、表面読み取りデータが複写面画像データである場合（ステップＳ２０２で"YES"）、テストチャート記録面を読み取った読み取り部、テストチャート記録面を読み取った日時、テストチャート記録面を読み取ったデジタル複合機１の個体を表面読み取りデータの特定用画像に関する部分から特定する（ステップＳ２０３）。
【００５１】
次に、デジタル複合機１は、テストチャート複写面を読み取った読み取り部とステップＳ２０３で特定した読み取り部とが一致するか否か、ステップＳ２０３で特定した日時からの経過日時が基準内（例えば、２４時間以内）であるか否か、テストチャート複写面を読み取ったデジタル複合機１の個体とステップＳ２０３で特定したテストチャート複写面を読み取ったデジタル複合機１の個体とが一致するか否かを調べ（ステップＳ２０４）、全ての条件を満たす場合（ステップＳ２０４で"YES"）、表面読み取りデータからサンプリングデータを取得して、後述する表面用の補正テーブルの生成の基礎となるキャリブレーション用データとしてフラッシュメモリ１０６に保存し（ステップＳ２０５）、表面に関するサンプリングデータ取得済フラグをセットする（ステップＳ２０６）。一方、全ての条件を満たさない場合（ステップＳ２０４で"NO"）、ステップＳ２０５〜Ｓ２０６の処理を行わずにステップＳ２０７の処理を行う。テストチャート記録面を読み取った読み取り部とテストチャート複写面を読み取った読み取り部とが一致しない場合、テストチャート記録面を読み取ってからの経過時間が長すぎる場合、テストチャート記録面を読み取ったデジタル複合機１の個体とテストチャート複写面を読み取ったデジタル複合機１の個体とが一致しない場合には、適切なサンプリングデータを得ることができないからである。
【００５２】
続いて、デジタル複合機１は、裏面について表面と同様の処理を開始する。すなわち、デジタル複合機１は、裏面読み取りデータが複写面画像データであるか否かを調べる（ステップＳ２０７）。
【００５３】
そして、デジタル複合機１は、裏面読み取りデータが複写面画像データでない場合（ステップＳ２０７で"NO"）、裏面読み取りデータからサンプリングデータを取得することはできないので、ステップＳ２０８〜Ｓ２１１の処理を行わずに処理を終了する。
【００５４】
一方、裏面読み取りデータが複写面画像データである場合（ステップＳ２０７で"YES"）、テストチャート記録面を読み取った読み取り部、テストチャート記録面を読み取った日時、テストチャート記録面を読み取ったデジタル複合機１の個体を裏面読み取りデータの特定用画像に関する部分から特定する（ステップＳ２０８）。
【００５５】
次に、デジタル複合機１は、テストチャート複写面を読み取った読み取り部とステップＳ２０８で特定した読み取り部とが一致するか否か、ステップＳ２０８で特定した日時からの経過日時が基準内（例えば、２４時間以内）であるか否か、テストチャート複写面を読み取ったデジタル複合機１の個体とステップＳ２０８で特定したテストチャート複写面を読み取ったデジタル複合機１の個体とが一致するか否かを調べ（ステップＳ２０９）、全ての条件を満たす場合（ステップＳ２０９で"YES"）、裏面読み取りデータからサンプリングデータを取得して、後述する裏面用の補正テーブルの生成の基礎となるキャリブレーション用データとしフラッシュメモリ１０６に保存し（ステップＳ２１０）、裏面に関するサンプリングデータ取得済フラグをセットする（ステップＳ２１１）。一方、全ての条件を満たさない場合（ステップＳ２０８で"NO"）、ステップＳ２０９〜Ｓ２１０の処理を行わずに処理を終了する。テストチャート記録面を読み取った読み取り部とテストチャート複写面を読み取った読み取り部とが一致しない場合、テストチャート記録面を読み取ってからの経過時間が長すぎる場合、テストチャート記録面を読み取ったデジタル複合機１の個体とテストチャート複写面を読み取ったデジタル複合機１の個体とが一致しない場合には、適切なサンプリングデータを得ることができないからである。
【００５６】
＜５  通常原稿のコピー＞
図８及び図９は、組み込みコンピュータ１０の制御下で行われる。通常原稿をコピーする際のデジタル複合機１における処理の流れを示すフローチャートである。
【００５７】
通常原稿のコピーに当たっては、まず、操作パネル１２４にある開始ボタンを押してコピー開始指示ををデジタル複合機１に与える（ステップＳ３０１）。
【００５８】
次に、デジタル複合機１は、両面コピーを行う場合（ステップＳ３０２で"YES"）、裏面に関するサンプリングデータがフラッシュメモリ１０６に保存されているか否かのチェック処理を行う（ステップＳ３０３）。そして、保存されている場合（ステップＳ３０４で"YES"）、デジタル複合機１は、裏面に関する目標データ及びサンプリングデータをフラッシュメモリ１０６から読み出し（ステップＳ３０５）、読み出した目標データ及びサンプリングデータから裏面用の補正テーブルを生成する（ステップＳ３０６）。一方、保存されていない場合（ステップＳ３０２で"NO"）、デジタル複合機１は、あらかじめ準備されているデフォルトの裏面用の未補正テーブルをフラッシュメモリ１０６から読み出す（ステップＳ３０７）。なお、片面コピーを行う場合（ステップＳ３０２で"NO"）、デジタル複合機１は、ステップＳ３０３〜Ｓ３０７の処理を行わずにステップＳ３０８の処理を行う。
【００５９】
続いて、デジタル複合機１は、表面について裏面と同様の処理を開始する。すなわち、デジタル複合機１は、表面に関するサンプリングデータがフラッシュメモリ１０６に保存されているか否かのチェック処理を行う（ステップＳ３０８）。そして、保存されている場合（ステップＳ３０９で"YES"）、デジタル複合機１は、表面に関する目標データ及びサンプリングデータをフラッシュメモリ１０６から読み出し（ステップＳ３１０）、読み出した目標データ及びサンプリングデータから表面用の補正テーブルを生成する（ステップＳ３１１）。一方、保存されていない場合（ステップＳ３０９で"NO"）、デジタル複合機１は、あらかじめ準備されているデフォルトの表面用の未補正テーブルをフラッシュメモリ１０６から読み出す（ステップＳ３１２）。
【００６０】
次に、デジタル複合機１は、表面用及び裏面用の補正テーブル又は未補正テーブルにより画像データを補正して、原稿から記録媒体へのコピーを行う（ステップＳ３１３）。
【００６１】
なお、サンプリングデータは、先述したように、テストチャート複写面を読み取った読み取り部とステップＳ２０３，Ｓ２０８で特定した読み取り部とが一致し、ステップＳ２０３，Ｓ２０８で特定した日時からの経過日時が基準内であり、テストチャート複写面を読み取ったデジタル複合機１の個体とステップＳ２０３，Ｓ２０８で特定したテストチャート複写面を読み取ったデジタル複合機１の個体とが一致する場合のみ、フラッシュメモリ１０６に保存されるので、デジタル複合機１では、これらの条件が満たされる場合のみ、サンプリングデータ及び目標データから生成した補正テーブルによる補正がコピーの際の画像データに対して行われることになる。すなわち、デジタル複合機１では、煩雑な操作を必要とせずに適切にキャリブレーションを行うことができ、表面読み取り部１０８１及び裏面読み取り部１０８２のいずれを用いてコピーをしても原稿の色を同様に再現することができる。特に、表面読み取り部１０８１と裏面読み取り部１０８２とで読み取りの方式が異なる場合、例えば、表面読み取り部１０８１がＣＣＤ方式で読み取りを行い、裏面読み取り部１０８２がＣＩＳ（密着型センサ）方式で読み取りを行うような場合でも、読み取り部にかかわらず原稿の色を適切に再現することができる。
【００６２】
＜６  その他＞
上述の実施形態では、コピーの機能を有するデジタル複合機１に本発明を適用した例について説明したが、コピー専用機などの画像複写装置に本発明を適用することができることはもちろんである。
【図面の簡単な説明】
【００６３】
【図１】デジタル複合機のブロック図である。
【図２】テストチャート原稿の一例を示す図である。
【図３】目標データを取得する際の処理の流れを示すフローチャートである。
【図４】目標データを取得する際の処理の流れを示すフローチャートである。
【図５】テストチャート記録面のコピーの一例を示す図である。
【図６】サンプリングデータを取得する際の処理の流れを示すフローチャートである。
【図７】サンプリングデータを取得する際の処理の流れを示すフローチャートである。
【図８】通常原稿をコピーする際の処理の流れを示すフローチャートである。
【図９】通常原稿をコピーする際の処理の流れを示すフローチャートである。
【符号の説明】
【００６４】
１  デジタル複合機
１０  組み込みコンピュータ
１０８  スキャナ
１１０  プリンタ
１０８１  表面用読み取り部
１０８２  裏面用読み取り部
【図１】
2008271344.tif 000003
【図２】
2008271344.tif 000004
【図３】
2008271344.tif 000005
【図４】
2008271344.tif 000006
【図５】
2008271344.tif 000007
【図６】
2008271344.tif 000008
【図７】
2008271344.tif 000009
【図８】
2008271344.tif 000010
【図９】
2008271344.tif 000011
【手続補正書】
【提出日】平成20年1月10日(2008.1.10)
【手続補正１】
【補正対象書類名】特許請求の範囲
【補正対象項目名】請求項４
【補正方法】変更
【補正の内容】
【請求項４】
原稿の第１面を読み取り画像データを生成する第１の読み取り部と原稿の第２面を読み取り画像データを生成する第２の読み取り部とを有する画像読み取り手段と、
前記画像読み取り手段により生成された画像データに係る画像を記録媒体上に形成する画像形成手段と、
を備える画像複写装置における画像データの補正方法であって、
前記画像読み取り手段がテストチャート原稿のテストチャート記録面を読み取り生成した記録面画像データから目標データを取得する目標データ取得工程と、
目標データを保存する目標データ保存工程と、
テストチャート記録面を読み取った読み取り部を特定可能な特定用画像を表示するデータを記録面画像データに付加する付加工程と、
前記画像読み取り手段がテストチャート原稿の複写物のテストチャート複写面を読み取り生成した複写面画像データからサンプリングデータを取得するサンプリングデータ取得工程と、
複写面画像データの特定用画像に関する部分からテストチャート記録面を読み取った読み取り部を特定する特定工程と、
テストチャート複写面を読み取った読み取り部と前記特定工程により特定した読み取り部とが一致する場合に、前記サンプリングデータ取得工程により取得したサンプリングデータを保存するサンプリングデータ保存工程と、
前記目標データ保存工程により保存された目標データと前記サンプリングデータ保存工程により保存されたサンプリングデータとから生成した補正特性により、通常原稿を複写する際に生成された画像データを補正する補正工程と、
を備える画像データの補正方法。
【手続補正２】
【補正対象書類名】明細書
【補正対象項目名】００１１
【補正方法】変更
【補正の内容】
【００１１】
請求項４の発明は、原稿の第１面を読み取り画像データを生成する第１の読み取り部と原稿の第２面を読み取り画像データを生成する第２の読み取り部とを有する画像読み取り手段と、前記画像読み取り手段により生成された画像データに係る画像を記録媒体上に形成する画像形成手段とを備える画像複写装置における画像データの補正方法であって、前記画像読み取り手段がテストチャート原稿のテストチャート記録面を読み取り生成した記録面画像データから目標データを取得する目標データ取得工程と、目標データを保存する目標データ保存工程と、テストチャート記録面を読み取った読み取り部を特定可能な特定用画像を表示するデータを記録面画像データに付加する付加工程と、前記画像読み取り手段がテストチャート原稿の複写物のテストチャート複写面を読み取り生成した複写面画像データからサンプリングデータを取得するサンプリングデータ取得工程と、複写面画像データの特定用画像に関する部分からテストチャート記録面を読み取った読み取り部を特定する特定工程と、テストチャート複写面を読み取った読み取り部と前記特定工程により特定した読み取り部とが一致する場合に、前記サンプリングデータ取得工程により取得したサンプリングデータを保存するサンプリングデータ保存工程と、前記目標データ保存工程により保存された目標データと前記サンプリングデータ保存工程により保存されたサンプリングデータとから生成した補正特性により、通常原稿を複写する際に生成された画像データを補正する補正工程とを備える。
【手続補正３】
【補正対象書類名】明細書
【補正対象項目名】００５６
【補正方法】変更
【補正の内容】
【００５６】
＜５  通常原稿のコピー＞
図８及び図９は、組み込みコンピュータ１０の制御下で行われる、通常原稿をコピーする際のデジタル複合機１における処理の流れを示すフローチャートである。